(57)【要約】【課題】妨害特性と受信特性を両立できる高周波受信部を提供する。【解決手段】アンテナ増幅回路３４の入力と出力に並列に接続された電子スイッチ３６と、この電子スイッチ３６とアンテナ増幅回路３４を制御するためのアンテナ制御端子２２ｃとを設け、高周波受信部２３から出力されるアンテナ制御信号が、アンテナ制御端子２２ｃに供給されることにより、弱電界エリアでの受信条件においては、電子スイッチ３６を開放するとともにアンテナ増幅回路３４への電源供給を開始し、強電界エリアでの受信条件においては、電子スイッチ３６を短絡するとともにアンテナ増幅回路３４への電源供給を停止するものである。【選択図】図１
2007068143.tif 000002
【特許請求の範囲】
【請求項１】
テレビ放送信号を受信する高周波受信部の入力端子に接続されるアンテナ整合器であって、このアンテナ整合器は、アンテナから供給される受信信号が入力される第１の入力端子と、この第１の入力端子に接続されるとともに整合損失を少なくする整合器と、この整合器の出力に接続されるとともに前記受信信号を増幅するアンテナ増幅回路と、このアンテナ増幅回路の出力信号が供給される第１の出力端子とを備え、前記アンテナ増幅回路の入力と出力に並列に接続された第１の電子スイッチと、この第１の電子スイッチと前記アンテナ増幅回路を制御するためのアンテナ制御端子とを設け、前記高周波受信部から出力されるアンテナ制御信号が、前記アンテナ制御端子に供給されることにより、弱電界エリアでは、前記第１の電子スイッチを開放するとともに前記アンテナ増幅回路への電源供給を開始し、強電界エリアでは、前記第１の電子スイッチを短絡するとともに前記アンテナ増幅回路への電源供給を停止するアンテナ整合器。
【請求項２】
アンテナ増幅回路の入力と出力に並列に接続された第１の電子スイッチの代わりに、アンテナ増幅回路の入力に接続されるとともに、第１の出力端子との間に第１の電子スイッチを外付け接続が可能な第２の出力端子を設けた請求項１に記載のアンテナ整合器。
【請求項３】
第２の出力端子の代わりに、整合器の入力に接続されるとともに、第１の出力端子との間に第１の電子スイッチを外付け接続が可能な第３の出力端子を設けた請求項１に記載のアンテナ整合器。
【請求項４】
アンテナ制御信号によるアンテナ整合器の制御は、第１の電子スイッチを短絡後にアンテナ増幅回路への電源供給を停止し、前記アンテナ増幅回路への電源供給を開始後に前記第１の電子スイッチを開放する請求項１に記載のアンテナ整合器。
【請求項５】
アンテナ増幅回路と第１の出力端子の間には、信号レベルを減衰させるとともに出力インピーダンスを抵抗成分とする減衰器が接続された請求項１に記載のアンテナ整合器。
【請求項６】
第１の電子スイッチと第１の出力端子の間には、信号レベルを減衰させるとともに出力インピーダンスを抵抗成分とする減衰器が接続された請求項１に記載のアンテナ整合器。
【請求項７】
請求項１に記載のアンテナ整合器と、このアンテナ整合器の第１の出力端子の出力信号が第２の入力端子に供給される高周波受信部と、この高周波受信部から出力される第１、２の利得制御電圧が入力されるとともに前記アンテナ整合器を制御するアンテナ制御部とからなる高周波受信装置であって、前記高周波受信部は、前記第２の入力端子から入力される受信信号が供給される第１の増幅回路と、この第１の増幅回路の出力信号が一方の入力に供給される混合器と、この混合器の他方の入力に接続された発振器と、この発振器の周波数をＰＬＬ（フェイズロックドループ）により制御するＰＬＬ回路と、前記混合器の出力が供給される第２の増幅回路と、この第２の増幅回路の出力信号が供給される第４の出力端子と、前記混合器の出力信号が供給されるとともに前記第１の増幅回路を利得制御する第１の利得制御器と、前記第２の増幅回路の出力信号が供給されるとともに前記第２の増幅回路を利得制御する第２の利得制御器とを備え、前記アンテナ制御部は、前記第１、第２の利得制御器からそれぞれ出力された第１、第２の利得制御電圧のうちひとつまたは両方があらかじめ定められたそれぞれの基準電圧と比較・判定される信号レベル判定器と、この信号レベル判定器から出力された判定信号が供給されるとともに前記アンテナ整合器を制御するためのアンテナ制御信号を供給するアンテナ制御部とからなり、このアンテナ制御部から出力されるアンテナ制御信号により、前記第１の電子スイッチの開放と前記アンテナ増幅回路への電源供給を開始し、あるいは前記第１の電子スイッチの短絡と前記アンテナ増幅回路への電源供給を停止する制御が行われる高周波受信装置。
【請求項８】
第１の混合器をダイレクトコンバージョンとした請求項７に記載の高周波受信装置。
【請求項９】
請求項７に記載の高周波受信部の出力信号が第３の入力端子を介して供給される復調部を有する高周波受信装置であって、前記復調部は、前記第３の入力端子からの信号が供給される第３の増幅回路と、この第３の増幅回路の出力信号が供給されるとともに復調信号を出力する復調器と、前記第３の増幅回路の出力が供給されるとともに前記第３の増幅回路を利得制御する第３の利得制御器とを備え、信号レベル判定器への入力は、第１、第２の利得制御器、前記第３の利得制御器からそれぞれ出力された第１、第２、第３の利得制御電圧のうちひとつ以上の利得制御電圧があらかじめ定められたそれぞれの基準電圧と比較・判定される信号レベル判定器が設けられた高周波受信装置。
【請求項１０】
アンテナ制御部には、デジタル信号用の復調部から出力されるＢＥＲ（ビットエラーレート）をＢＥＲ基準値と比較・判定するＢＥＲ判定器と、信号レベル判定器と前記ＢＥＲ判定器から出力されるそれぞれの判定信号とが供給されるとともにアンテナ整合器を制御するためのアンテナ制御信号を供給するアンテナ制御部とが設けられた請求項９に記載の高周波受信装置。
【請求項１１】
請求項１０に記載の高周波受信装置において、デジタル信号用の復調部の代わりにアナログ信号用の復調部と、ＢＥＲ判定器の代わりに前記アナログ信号用の復調部から出力されるＳ／Ｎ（シグナル対ノイズ）をＳ／Ｎ基準値と比較・判定するＳ／Ｎ判定器とが設けられた高周波受信装置。
【請求項１２】
請求項１に記載のアンテナ整合器と、このアンテナ整合器の第１の出力端子の出力信号が第２の入力端子に供給される高周波受信部と、この高周波受信部から出力される第１、第２の利得制御電圧が入力されるとともに前記アンテナ整合器を制御するアンテナ制御部とからなる高周波受信装置であって、前記高周波受信部は、前記第２の入力端子から入力される受信信号が供給される第１の増幅回路と、この第１の増幅回路の出力信号が一方の入力に供給される混合器と、この混合器の他方の入力に接続された発振器と、この発振器の周波数をＰＬＬ（フェイズロックドループ）により制御するＰＬＬ回路と、前記混合器の出力が供給される第２の増幅回路と、この第２の増幅回路の出力信号が供給される復調部と、この復調部からの信号が出力される第２の出力端子と、前記混合器の出力信号が供給されるとともに前記第１の増幅回路を利得制御する第１の利得制御器と、前記復調部からの出力信号が供給されるとともに前記第２の増幅回路を利得制御する第２の利得制御器とを備え、前記アンテナ制御部は、前記第１、第2の利得制御器からそれぞれ出力された第1、第2の利得制御電圧のうちひとつまたは両方があらかじめ定められたそれぞれの基準電圧と比較・判定される信号レベル判定器と、この信号レベル判定器から出力された判定信号が供給されるとともに前記アンテナ整合器を制御するためのアンテナ制御信号が供給するアンテナ制御部とからなり、このアンテナ制御部から出力されるアンテナ制御信号により、強電界エリアでは、前記第１の電子スイッチを開放するとともに前記アンテナ増幅回路への電源供給を開始し、強電界エリアでは、前記第１の電子スイッチを短絡するとともに前記アンテナ増幅回路への電源供給を停止する制御が行われる高周波受信装置。
【発明の詳細な説明】
【技術分野】
【０００１】
本発明は、大きな妨害信号のあるエリアでの受信条件、あるいはテレビ放送信号の弱電界エリアでの受信条件のそれぞれに対応して、良好な受信を可能とするアンテナ整合器とこれを用いた高周波受信装置に関するものである。
【背景技術】
【０００２】
以下、従来のアンテナ整合器とこれを用いた高周波受信装置について説明する。図８に示すように、従来の高周波受信装置１は、アンテナ整合器２と、このアンテナ整合器２の出力に接続された高周波受信部３とで構成されていた。
【０００３】
アンテナ整合器２は、アンテナ４で受信された受信信号が入力端子５を介して静電気等による破壊を保護するための保護回路６に入力される。この保護回路６の出力信号は、整合損失を少なくするための整合器７に入力される。この整合器７の出力信号はアンテナ増幅回路８に入力される。このアンテナ増幅回路８で増幅された信号が、出力端子９から出力される。
【０００４】
そして、この出力端子９からの出力信号は、高周波受信部３の入力端子１１を介して混合器１２の一方の入力に供給される。この混合器１２の他方の入力には発振器１３の出力が供給されているので、混合器１２の出力からは周波数変換された信号が出力される。この出力信号が出力端子１４から出力される。
【０００５】
なお、この出願の発明に関連する先行技術文献情報としては、例えば、特許文献１が知られている。
【特許文献１】特開２００５−０５７６４２号公報
【発明の開示】
【発明が解決しようとする課題】
【０００６】
しかしながら、従来のアンテナ整合器２とこれを用いた高周波受信装置では、入力端子５から希望信号に近接した周波数で、かつ大きなレベルの妨害信号が入力すると、アンテナ整合器２のアンテナ増幅回路８が、この大きなレベルの妨害信号によって妨害を受けてしまう。
【０００７】
特に、近年導入されたデジタル放送信号は、現存のアナログ放送信号に影響を与えることがないように、送信出力を小さくしている。これにより、デジタル放送信号の受信時において、大きなレベルのアナログ放送信号が妨害信号となった。このため、アンテナ整合器２のアンテナ増幅回路８あるいは、高周波受信部３にて歪が発生し、正常な受信ができなくなるという問題があった。
【０００８】
そこで、本発明は、この問題を解決したもので、妨害に対する排除能力の向上、或いは弱電界における受信感度の向上のいずれかの選択を可能とするアンテナ整合器を提供することを目的としたものである。
【課題を解決するための手段】
【０００９】
この目的を達成するために、本発明のアンテナ整合器は、アンテナ増幅回路の入力と出力に並列に接続された第１の電子スイッチと、この第１の電子スイッチと前記アンテナ増幅回路を制御するためのアンテナ制御端子とを設け、高周波受信部から出力されるアンテナ制御信号が、前記アンテナ制御端子に供給されることにより、弱電界エリアでの受信条件においては、前記第１の電子スイッチを開放するとともに前記アンテナ増幅回路への電源供給を開始し、強電界エリアでの受信条件においては、前記第１の電子スイッチを短絡するとともに前記アンテナ増幅回路への電源供給を停止するものである。
【００１０】
これにより、所期の目的を達成することが可能となる。
【発明の効果】
【００１１】
以上のように、本発明のアンテナ整合器は、アンテナ増幅回路の入力と出力に並列に接続された第１の電子スイッチと、この第１の電子スイッチと前記アンテナ増幅回路を制御するためのアンテナ制御端子とを設け、高周波受信部から出力されるアンテナ制御信号が、前記アンテナ制御端子に供給されることにより、弱電界エリアでの受信条件においては、前記第１の電子スイッチを開放するとともに前記アンテナ増幅回路への電源供給を開始し、強電界エリアでの受信条件においては、前記第１の電子スイッチを短絡するとともに前記アンテナ増幅回路への電源供給を停止するものである。
【００１２】
これにより、大きな妨害信号のある強電界エリアでの受信条件では、第１の電子スイッチを短絡するとともにアンテナ増幅回路への電源供給を停止するので、アンテナ増幅回路を動作させずに整合器の出力からの歪の少ない信号を損失なく供給できる。また、弱電界エリアでの受信条件では、第１の電子スイッチを開放するとともにアンテナ増幅回路への電源供給を行うので、アンテナ増幅回路を動作させてノイズの少ない信号を出力することができる。
【００１３】
従って、このアンテナ整合器は、安定した信号を高周波受信部に供給することができ、受信品質を向上させることができる。
【００１４】
また、本発明のアンテナ整合器を用いることにより、小型化サイズの高周波受信装置を実現できる。
【発明を実施するための最良の形態】
【００１５】
（実施の形態１）
以下、本発明の実施の形態１について、図１を用いて説明する。図１は、高周波受信装置のブロック図である。本発明の実施の形態では一実施例として、デジタル方式のテレビ放送信号を受信する高周波受信装置２１について説明する。
【００１６】
この高周波受信装置２１は、アンテナ整合器２２と、このアンテナ整合器２２の出力が接続された高周波受信部２３と、この高周波受信部２３の出力が接続されたデジタル信号用の復調部２４と、アンテナ整合器２２を制御するアンテナ制御部２５から構成されている。
【００１７】
以下、アンテナ整合器２２の構成について説明する。アンテナ整合器２２には、４分の１波長より短い長さとした小型アンテナ３１が接続される入力端子２２ａと、出力端子２２ｂが設けられている。入力端子２２ａと出力端子２２ｂの間には、入力端子２２ａ側から順に、小型アンテナ３１からの静電気等の電気衝撃から後段の電気回路を保護するための保護回路３２と、入力および出力との整合損失を少なくするための整合器３３と、受信信号を増幅するアンテナ増幅回路３４、抵抗を用いた減衰器３５がこの順に接続されている。
【００１８】
そして、アンテナ増幅回路３４の入力と減衰器３５の出力の間には、開放・短絡を選択できる電子スイッチ３６と抵抗を用いた減衰器３７からなる直列接続体が接続されている。
【００１９】
また、アンテナ整合器２２には、アンテナ制御信号が入力されるアンテナ制御端子２２ｃが設けられている。このアンテナ制御端子２２ｃから入力されるアンテナ制御信号は、電子スイッチ３６の制御入力３６ａと、アンテナ増幅回路３４の制御入力３４ａに供給されている。
【００２０】
次に、アンテナ整合器２２と高周波受信部２３の間に設けられた電子スイッチ４０の構成について説明する。この電子スイッチ４０の一方の端子４０ａには、アンテナ整合器２２の出力端子２２ｂが接続されている。そして、高周波受信部２３の入力インピーダンスは、７５Ωとして設計されている。
【００２１】
従って、この高周波受信部２３の入力インピーダンス７５Ωに合わせるために、アンテナ整合器２２の出力端子２２ｂの出力インピーダンスを７５Ωとし、さらにこれらの接続には、７５Ωとしたマイクロストリップラインを用いることができる。これにより、整合損失を少なくできる。
【００２２】
また、電子スイッチ４０の他方の端子４０ｂには、外部アンテナ４１が接続されている。電子スイッチ４０の共通端子４０ｃには、高周波受信部２３の入力端子２３ａが接続されている。
【００２３】
次に、高周波受信部２３の構成について説明する。この高周波受信部２３には、入力端子２３ａと出力端子２３ｂとが設けられている。入力端子２３ａと出力端子２３ｂの間には、入力端子２３ａ側から順に、妨害信号を抑圧するフィルタ４２と、利得制御入力４３ａにより利得制御の可能な増幅回路４３と、増幅回路４３の出力が接続された妨害信号を抑圧するフィルタ４４と、一方の入力４５ａに供給される混合器４５と、周波数変換された出力信号を通過させるとともに妨害信号を抑圧するフィルタ４６と、利得制御入力４７ａにより利得制御の可能な増幅回路４７が接続されている。
【００２４】
また、混合器４５の他方の入力４５ｂには、発振器４８の出力が接続されている。この発振器４８には、ＰＬＬ回路４９の出力４９ａから出力される制御電圧が供給され、発振周波数を可変できる。ＰＬＬ回路４９の入力４９ｂには、入力端子２３ｃからの制御データが供給されている。また、ＰＬＬ回路４９の出力４９ａから出力される制御電圧は、フィルタ４２，４４の同調回路に供給され、同調周波数を可変できる。なお、フィルタ４２，４４は、固定フィルタとしてもよい。
【００２５】
さらに、フィルタ４６の出力は、利得制御入力４７ａにより利得制御の可能な増幅回路４７に供給されている。この増幅回路４７の出力は、入力信号を供給されるとともに利得制御電圧を出力する利得制御器５６に入力される。この利得制御電圧は、増幅回路４７の利得制御入力４７ａに供給されている。
【００２６】
次に、復調部２４の構成について説明する。この復調部２４には、入力端子２４ａと出力端子２４ｂとが設けられている。この入力端子２４ａと出力端子２４ｂとの間には、入力端子２４ａから順に、利得制御入力５８ａにより利得制御の可能な増幅回路５８と、Ａ／Ｄコンバータ５９と、デジタルフィルタ６０と、デジタル用復調器６１が接続されている。
【００２７】
このデジタルフィルタ６０の出力は、入力信号が入力されるとともに利得制御電圧を出力する利得制御器６３に入力される。この利得制御電圧は、増幅回路５８の利得制御入力５８ａに供給されている。
【００２８】
次に、アンテナ制御部２５の構成について説明する。アンテナ制御部２５は、ＢＥＲ判定器６６と、信号レベル判定器６９と、ＢＥＲ判定器６６の出力と信号レベル判定器６９の出力がそれぞれ入力６７ａ，６７ｂに入力されているアンテナ制御器６７とから構成されている。
【００２９】
このＢＥＲ判定器６６の入力６６ａには、デジタル用復調器６１の出力６１ａから出力されるＢＥＲがアンテナ制御部に設けられた入力端子２５ａを介して入力される。ＢＥＲ判定器６６の入力６６ｂには、ＢＥＲ用基準値が入力されるＢＥＲ用入力端子２５ｂが接続されている。なお、ＢＥＲ判定器の代わりにＣ／Ｎ値を検出できるＣ／Ｎ検出器を用いてもよい。
【００３０】
また、信号レベル判定器６９には入力６９ａ，６９ｂ，６９ｃ、６９ｄが設けられている。これら入力６９ａ，６９ｂ、６９ｄには、利得制御器５６，６３，５４から出力される利得制御電圧がそれぞれ入力されている。
【００３１】
これらの利得制御電圧は、それぞれの基準電圧と比較されることにより電圧が判定される。また、これらの基準電圧は、アンテナ制御部２５に設けられた基準電圧用入力端子２５ｃを介して入力６９ｃから入力することができる。
【００３２】
そして、ＢＥＲ判定器６６と信号レベル判定器６９からの判定信号に基づいて、アンテナ整合器２２を制御するアンテナ制御信号が、電子スイッチ３６のスイッチ制御入力３６ａと、アンテナ増幅回路３４の制御入力３４ａに供給されている。
【００３３】
以上のように構成された高周波受信装置２１の動作について、図１、図２を用いて、ＵＨＦｃｈ受信を代表例として説明する。なお、電子スイッチ４０により、アンテナ整合器２２の出力端子２２ｂと高周波受信部２３の入力端子２３ａが接続されているものとする。
【００３４】
なお、受信条件としては、デジタル放送信号とアナログ放送信号の信号レベルの大小関係だけでなく、アナログ放送信号同士あるいは、デジタル放送信号同士での大小関係においても、本実施の形態の効果は、同様である。
【００３５】
最初に、高周波受信装置２１のアンテナ整合器２２の動作にについて説明する。、アンテナ整合器２２では、アンテナ増幅回路３４からの出力信号か、整合器３３の出力信号からのいずれか一方が選択できる。
【００３６】
以下、アンテナ増幅回路３４の出力信号が出力される場合について説明する。この場合には、アンテナ制御器６７から出力されるアンテナ制御信号が、アンテナ整合器２２に供給されることにより、電子スイッチ３６が開放されるとともにアンテナ増幅回路３４への電源が供給されている。
【００３７】
小型アンテナ３１からの受信信号は、保護回路３２を介して整合器３３に入力される。この整合器３３は、小型アンテナ３１とアンテナ増幅回路３４との整合損失を少なくし、受信信号の伝達損失を減らすために挿入するものである。従って、小型アンテナ３１で受信された受信信号は、少ない伝達損失でアンテナ増幅回路３４に供給される。
【００３８】
このアンテナ増幅回路３４では、受信信号を増幅する。このアンテナ増幅回路３４の出力信号は、減衰器３５に入力される。この減衰器３５は、抵抗からなる減衰器とすることより、アンテナ整合器２２の出力インピーダンスを、周波数に関係なくリアクタンス成分を少なくした抵抗成分のみとでき、例えば、７５Ωとできる。
【００３９】
これにより、高周波受信部２３の入力インピーダンスが受信ｃｈによって変化しても、ｃｈ間における高周波受信部２３との整合損失を一定値にできる。つまり、ｃｈ間での受信感度を一定とできる。また、減衰器３５の抵抗値を選ぶことによって出力端子２２ｂからの出力レベルを最適な値に設定できる。
【００４０】
次に、アンテナ整合器２２において、整合器３３からの出力信号が選択される場合について説明する。この場合には、アンテナ制御器６７から出力されるアンテナ制御信号が、アンテナ整合器２２に供給されることにより、電子スイッチ３６が短絡されるとともにアンテナ増幅回路３４への電源の供給が停止されている。
【００４１】
従って、整合器３３の出力信号が、短絡された電子スイッチ３６と減衰器３７を介して出力端子２２ｂに出力される。減衰器３７は、抵抗からなる減衰器とすることにより、アンテナ整合器２２の出力インピーダンスを、周波数に関係なくリアクタンス成分を少なくした抵抗成分のみとでき、例えば、７５Ωとできる。
【００４２】
これにより、高周波受信部２３の入力インピーダンスが受信ｃｈによって変化があっても、高周波受信部２３との整合損失を一定値にできる。つまり、ｃｈ間での受信感度を一定とできる。
【００４３】
以上のように、アンテナ制御信号により、アンテナ整合器２２を制御することによって、アンテナ増幅回路３４の出力信号、あるいは整合器３３からの出力信号のいずれか一方を選択できる。
【００４４】
すなわち、アンテナ増幅回路３４からの出力信号を選択した場合のアンテナ整合器２２のＵＨＦｃｈでの利得は、保護回路３２と整合器３３による損失を−１ｄＢとし、アンテナ増幅回路３４の利得を１５ｄＢとし、減衰器３７の損失を−４ｄＢとして、合計として約１０ｄＢとなる。
【００４５】
ところが、小型アンテナ３１は、４分の１波長より短い長さとした小型のアンテナとしているので、外部アンテナ４１に対して利得がおよそ−１０ｄＢ小さくなっている。従って、外部アンテナ４１、小型アンテナ３１のいずれを用いた場合においても、高周波受信部２３への入力レベルは、ほぼ同じレベルが入力されることになる。
【００４６】
一方、整合器３３の出力信号を選択した場合のアンテナ整合器２２の利得は、保護回路３２と整合器３３による損失を−１ｄＢとし、減衰器３７での損失を−４ｄＢとし、またアンテナ増幅回路３４の利得が０ｄＢになるので、アンテナ増幅回路３４による利得分１５ｄＢだけ低いレベルが出力されることになる。
【００４７】
次に、高周波受信部２３の動作について、説明する。アンテナ整合器２２の出力信号は、入力端子２３ａを介してフィルタ４２に入力される。このフィルタ４２では、希望信号以外の妨害信号が抑圧される。このフィルタ４２の出力信号は、増幅回路４３により増幅された後、フィルタ４４に入力される。このフィルタ４４により例えば希望信号以外の妨害信号が抑圧されたのち、混合器４５の一方の入力４５ａに供給される。また、他方の入力４５ｂにはＰＬＬ回路４９で制御された発振器４８の出力信号が供給されている。
【００４８】
ここで、ＰＬＬ回路４９の入力４９ｂには、入力端子２３ｃを介してＰＬＬ制御用データが入力される。そして、ＰＬＬ回路４９の出力４９ａから出力される制御電圧により発振器４８の発振周波数およびフィルタ４２，４４の同調周波数が制御される。つまり、受信信号の中の希望信号が選局されることになる。
【００４９】
そして、混合器４５からは、例えば８ＭＨｚの中間周波数となる希望信号が出力される。この中間周波数の信号は、妨害信号が抑圧されるフィルタ４６に入力されるとともに、利得制御器５４に入力される。フィルタ４６は、固定のＢＰＦ（バンドパスフィルタ）を用いることにより、例えば近接した妨害信号を十分に抑圧できる。
【００５０】
また、利得制御器５４から出力される利得制御電圧は、増幅回路４３の利得制御入力４３ａに供給される。これにより、混合器４５の出力信号が一定のレベルになるように、増幅回路４３において利得制御される。
【００５１】
また、フィルタ４６の出力信号は、増幅回路４７で増幅されたのち、出力端子２３ｂから出力されるとともに、利得制御電圧を出力する利得制御器５６に入力される。この利得制御電圧は、増幅回路４７の利得制御入力４７ａに供給される。これにより、増幅回路４７の出力信号は、一定のレベルになるように利得制御される。
【００５２】
以上のように、入力端子２３ａに入力された受信信号は、混合器４５により周波数変換されるとともに、出力端子２３ｂから出力される信号レベルが一定値になるように増幅回路４３，４７において利得制御される。
【００５３】
次に、復調部２４の動作について説明する。増幅回路５８には、高周波受信部２３の出力信号が入力される。この増幅回路５８からの増幅された信号は、アナログ信号をデジタル信号に変換するＡ／Ｄコンバータ５９に入力される。このＡ／Ｄコンバータ５９から出力されるデジタル信号は、デジタル処理により妨害信号を十分に抑圧するデジタルフィルタ６０に入力される。このデジタルフィルタ６０からのデジタル信号は、デジタル用復調器６１に入力される。このデジタル用復調器６１の出力端子２４ｂからは、ＴＳ（トランスポートストリーム）信号が出力される。
【００５４】
そして、デジタルフィルタ６０の出力は、利得制御電圧を出力する利得制御器６３に入力される。この利得制御電圧は、増幅回路５８の利得制御入力５８ａに供給される。この増幅回路５８は、デジタル用復調器６１への入力レベルが一定レベルになるように利得制御する。
【００５５】
次に、アンテナ制御部２５のＢＥＲ判定器６６の動作について説明する。ＢＥＲ判定器６６では、ＢＥＲ用入力端子２５ｂから入力されるＢＥＲ用基準値と、デジタル用復調器６１から出力されるＢＥＲとが比較・判定される。このＢＥＲ判定器６６から出力される判定信号が、アンテナ制御器６７の入力６７ａに入力されている。
【００５６】
図２は、高周波受信装置２１の入力端子２２ａへの入力信号レベルとＢＥＲの関係図である。この場合、アンテナ整合器２２では、アンテナ増幅回路３４からの出力信号が選択されたものとしている。
【００５７】
なお、入力信号レベルとして、−５０ｄＢｍ以上の受信レベルを強電界エリアとし、−９０ｄＢｍ以下の受信レベルを弱電界エリアとしている。
【００５８】
また、増幅回路４３の利得制御範囲は、入力端子２２ａにおける入力信号レベルとして０〜−５０ｄＢｍとしている。増幅回路４７の利得制御範囲は、入力端子２２ａにおける入力信号レベルとして−５０ｄＢｍ〜−９０ｄＢｍとしている。増幅回路５８の利得制御範囲は、入力端子２２ａにおける入力信号レベルとして−９０ｄＢｍ以下として説明する。
【００５９】
図２において、１０１は、小型アンテナ３１からの入力信号レベルであり、例えば微弱信号レベル１０１ａ（−１１０ｄＢｍ）、強い信号レベル１０１ｂ（−１０ｄＢｍ）を表している。１０２は、ＢＥＲであり、１０２ａはエラーフリー（エラーが発生しない状態）である。１０３は、ＢＥＲが２×１０-4であり、このＢＥＲ（２×１０-4）より大きい場合を、受信品質が悪い場合と判定している。
【００６０】
特性１０４は、希望信号のみを受信した場合のＢＥＲを表している。この特性１０４において、入力信号レベル１０１ｃ（−９０ｄＢｍ）では、ＢＥＲ１０２ｂとなり、入力信号レベル１０１ａ（−１１０ｄＢｍ）では、さらにＢＥＲが劣化している。これは、高周波受信装置２１の雑音指数と受信信号の劣化したＣ／Ｎにより発生する。
【００６１】
一方、信号レベル１０１ｄ（−２０ｄＢｍ）より大きい入力信号レベルでは、ＢＥＲが劣化している。これは、アンテナ増幅回路３４および高周波受信部２３に対して、大きな希望信号レベルが入力されたために歪が発生したものである。特に、アンテナ増幅回路３４に対して−１０ｄＢｍ以上の信号が入力されると、歪による影響が大きく現れる場合が多い。
【００６２】
特性１０５は、希望信号とともに、この希望信号より略４０ｄＢ大きい妨害信号を受信した場合のＢＥＲを表している。入力信号レベル１０１ｃ（−９０ｄＢｍ）では、ＢＥＲ１０２ｃとなり、特性１０４とほぼ同じである。
【００６３】
また、入力信号レベル１０１ｅ（−５０ｄＢｍ）では、希望信号（−５０ｄＢｍ）とともに大きな妨害信号を受信するので、ＢＥＲ１０２ｄと劣化している。これは、希望信号より略４０ｄＢ大きい妨害信号が入力されるので、アンテナ増幅回路３４および高周波受信部２３において、歪が発生するためである。ＢＥＲ１０２ｄは、ＢＥＲが劣化しＢＥＲ１０３（２×１０-4）に近づく。
【００６４】
ところが、入力信号レベル１０１ｆ（−６５ｄＢｍ）では、ＢＥＲ１０２ｅとなり、入力信号レベル１０１ｅ（−５０ｄＢｍ）のＢＥＲ１０２ｄより良化している。これは、希望信号が−５０ｄＢｍから−７５ｄＢｍと小さくなるが、同時に妨害信号も−１０ｄＢｍから−２５ｄＢｍと小さくなるからである。
【００６５】
このように、入力信号レベル１０１ｅ（−５０ｄＢｍ）を、入力信号レベル１０１ｆ（−６５ｄＢｍ）と小さく設定することにより、ＢＥＲを大幅に改善できることがわかる。これを実現するには、電子スイッチ３６を短絡するとともに、アンテナ増幅回路３４への電源供給を停止し、整合器３３の出力信号を出力端子２２ｂから出力してやればよい。そして、アンテナ増幅回路３４の動作時と非動作時におけるアンテナ整合器２２の利得の差を例えば１５ｄＢとすればよい。
【００６６】
前述したように、アンテナ増幅回路３４からの出力信号を選択した場合のアンテナ整合器２２の利得を１０ｄＢとしている。このため、高周波受信部２３の入力には、アンテナ増幅回路３４への入力レベルより１０ｄＢ大きな信号が入力される。ところが、高周波受信部２３の入力には、妨害信号を抑圧できるフィルタ４２，４４が挿入されている。
【００６７】
このため、高周波受信部２３に対してアンテナ整合器２２の方が、歪が発生しやすく、ＢＥＲ劣化への影響の方が大きい。例えば、アンテナ増幅回路３４では、−１０ｄＢｍ以上の大きな信号が入力されると、歪が発生する。
【００６８】
以上から明らかなように、希望信号に対して大きな妨害信号が入力された場合には、ＢＥＲ判定器６６により受信中のＢＥＲがＢＥＲ用基準値（２×１０-4）と比較・判定される。この受信中のＢＥＲが、ＢＥＲ用基準値（２×１０-4）より悪い場合には、アンテナ制御器６７から出力されるアンテナ制御信号により、アンテナ整合器２２の電子スイッチ３６を短絡するとともに、アンテナ増幅回路３４への電圧供給を停止すればよい。
【００６９】
これにより、入力信号レベル１０１ｅ（−５０ｄＢｍ）を、入力信号レベル１０１ｆ（−６５ｄＢｍ）とできる。
【００７０】
また、入力信号レベル１０１ｃ（−９０ｄＢｍ）以下の弱電界レベルを受信する場合には、電子スイッチ３６を開放するとともに、アンテナ増幅回路３４を動作させた状態に戻して用いるとよい。
【００７１】
以上のように、ＢＥＲ判定器６６により受信時のＢＥＲを判定するのであるが、妨害信号によりＢＥＲが劣化したのか、弱電界によりＢＥＲが劣化したのかの判定が困難である。
【００７２】
次に、アンテナ制御部２５の信号レベル判定器６９の動作について説明する。増幅回路４３の利得制御範囲は、入力端子２３ａにおける入力信号レベルとして０〜−５０ｄＢｍとしている。
【００７３】
従って、増幅回路４７の利得制御範囲は、（−５０＋Ｖ１）〜（−９０ｄＢｍ＋Ｖ１）となる。このように利得制御を行うことによって、入力信号レベルを最適化し、ノイズが少なく歪が発生しない高周波受信装置２１としている。
【００７４】
この高周波受信装置２１における希望信号と妨害信号の大きさに応じた具体的動作について以下説明する。小型アンテナ３１を用いて、入力端子２２ａでのレベルとしてのデジタル放送を希望信号−５０ｄＢｍとし、アナログ放送を妨害信号−１０ｄＢｍとした受信条件においては、以下のようになる。
【００７５】
すなわち、妨害信号は、フィルタ４２により例えば１５ｄＢ抑圧されるとする。この抑圧された妨害信号−２５ｄＢｍが、増幅回路４３に入力される。この増幅回路４３では、入力端子２３ａにおける入力信号レベルとして０ｄＢｍから−５０ｄＢｍまで利得制御が行われる。このため、増幅回路４３では、妨害信号−２５ｄＢｍは、この妨害信号−２５ｄＢｍから利得制御−５０ｄＢｍを差し引いた分の２５ｄＢｍだけ利得制御される。
【００７６】
従って、増幅回路４７に入力される妨害信号は、妨害信号−２５ｄＢｍから利得制御２５ｄＢを引き、さらに利得分Ｖ１を加算し、さらにフィルタ４６での妨害信号に対する抑圧分Ｖｓを差し引いたレベル（−５０ｄＢｍ＋Ｖ１−Ｖｓ）となる。このフィルタ４６に、例えばＳＡＷフィルタを用いることにより、Ｖｓを４０ｄＢ以上とできるので、増幅回路４７に入力される妨害信号を（−９０ｄＢｍ＋Ｖ１）以下とできる。
【００７７】
同様に、フィルタ４６から出力される希望信号は、希望信号−５０ｄＢｍから利得制御２５ｄＢを引き、さらに利得分Ｖ１を加算したレベル（−７５ｄＢｍ＋Ｖ１）となる。つまり、フィルタ４６によって、妨害信号は、希望信号より２５ｄＢ十分に抑圧されているので、後段での歪がほとんど発生しないことになる。
【００７８】
そして、フィルタ４６から出力される希望信号（−７５ｄＢｍ＋Ｖ１）は、増幅回路４７に入力される。この増幅回路４７の利得制御範囲は、（−５０＋Ｖ１）〜（−９０ｄＢｍ＋Ｖ１）としている。このため、増幅回路４７では、希望信号（−７５ｄＢｍ＋Ｖ１）は、この希望信号（−７５ｄＢｍ＋Ｖ１）から利得制御範囲の下限（−９０ｄＢｍ＋Ｖ１）を差し引いた分−１５ｄＢだけ利得制御される。
【００７９】
従って、増幅回路４７では、希望信号によって−１５ｄＢの利得制御が行われることになる。つまり、この希望信号の大きさに応じて、利得制御入力４７ａの利得制御電圧が変化することになる。
【００８０】
ところが、この希望信号の大きさは、妨害信号の大きさに応じて変化するものであり、妨害信号が大きいほど増幅回路４３において利得制御が大きくなる。その結果、増幅回路４７に入力されるて希望信号が小さくなるので、増幅回路４７では利得が大きくなるように制御される。
【００８１】
このように、大きな妨害信号の存在する強電界エリアでの受信時においては信号レベル判定器６９を用いて、利得制御器５４，５６のそれぞれの利得制御電圧を基準電圧の上限値と下限値と比較・判定することにより、妨害信号レベルの大きさを検出できる。
【００８２】
なお、信号レベル判定器６９の基準電圧の上限値と下限値は、基準電圧用入力端子２５ｃを介して入力できる。従って、外部端子から容易に最適値を設定できる。
【００８３】
このようにして、信号レベル判定器６９からの判定信号がアンテナ制御器６７の入力６７ｂに入力される。このアンテナ制御器６７から出力されるアンテナ制御信号により、アンテナ増幅回路３４への電源供給を停止するとともに、電子スイッチ３６を短絡する。
【００８４】
これにより、妨害信号を１５ｄＢ小さくできるので、アンテナ整合器２２での歪を無くし、増幅回路４３および混合器４５による歪が低減されることにより、高周波受信装置２１の妨害特性を良くできる。この場合の希望信号は、−５０ｄＢｍから−７５ｄＢｍと小さいレベルとなるが、図２の特性１０５より明らかなようにＢＥＲは劣化しない。
【００８５】
次の受信条件として、妨害信号がなく、希望信号（−５０ｄＢｍ以上）のみを受信する場合には、利得制御範囲（０ｄＢｍ〜−５０ｄＢｍ）である増幅回路４３により利得制御された一定レベルの信号が、増幅回路４７に供給される。このため、増幅回路４７の利得制御電圧は、利得最小となるので、利得制御器５６の利得制御電圧は変化しないことになる。
【００８６】
従って、これら利得制御器５４，５６のそれぞれの利得制御電圧を用いて信号レベル判定器６９で判定することにより、妨害信号レベルの大きさを検出できる。この信号レベル判定器６９からの判定信号が、アンテナ制御器６７の入力６７ｂに入力される。このアンテナ制御器６７から出力されるアンテナ制御信号により、アンテナ増幅回路３４への電源供給を停止するとともに、電子スイッチ３６を短絡する。
【００８７】
これにより、妨害信号を１５ｄＢ小さくできるので、アンテナ整合器２２での歪を無くし、増幅回路４３および混合器４５による歪が低減されることにより、高周波受信装置２１の妨害特性を良くできる。
【００８８】
次の受信条件として、弱電界エリア（−９０ｄＢｍ以下）で希望信号を受信する場合について説明する。この弱電界エリア（−９０ｄＢｍ以下）で希望信号を受信する場合には、増幅回路４３，４７は利得が最大になるように制御され、利得制御範囲（−９０ｄＢｍ以下）である増幅回路５８により利得制御された一定レベルの信号が、Ａ／Ｄコンバータ５９に供給される。このため、利得制御器６３の利得制御電圧が変化することになる。
【００８９】
従って、この利得制御器６３の利得制御電圧を用いて信号レベル判定器６９で判定することにより、希望信号レベルの大きさを検出できる。この信号レベル判定器６９からの判定信号が入力されるアンテナ制御器６７により、アンテナ整合器２２のアンテナ増幅回路３４への電源を供給し、電子スイッチ５６を開放する。
【００９０】
これにより、アンテナ増幅回路３４の出力信号が、出力端子２２ｂから出力されることになり、高周波受信部２３への入力レベルは、整合器３３の出力信号が出力端子２２ｂから出力される場合に対して１５ｄＢ高くできる。従って、微弱な信号レベルに対する受信感度をよくできる。
【００９１】
以上のように、大きな妨害信号のある強電界エリアでの受信時には、アンテナ制御器６７からのアンテナ制御信号によりアンテナ整合器２２の利得を小さくする。これにより、高周波受信部２３からは歪の少ない信号が出力される。
【００９２】
一方、弱電界エリアでの受信時には、アンテナ制御器６７からのアンテナ制御信号によりアンテナ整合器２２を最大値に近い利得で動作させる。このため、高周波受信部２３からはノイズの少ない信号を出力することができる。
【００９３】
このようにして、アンテナ整合器２２の動作状態を、アンテナ制御信号を用いて切替えることにより、強電界での妨害特性と弱電界での受信感度とを両立できる高周波受信装置２１を提供できる。
【００９４】
また、アンテナ制御器６７にはＢＥＲ判定器６６からの判定信号が入力されている。このＢＥＲ判定器６６では、受信中のＢＥＲ値がＢＥＲ用基準値（２×１０-4）と比較判定される。従って、アンテナ制御器６７での判定は、信号レベル判定器６９だけでなく、ＢＥＲ判定器６６からの判定信号を用いることにより、判定の精度が向上する。
【００９５】
なお、高周波受信部２３の増幅回路４３，４７，５８等は、妨害特性および受信感度の関係から各増幅回路の利得配分あるいは利得制御範囲の設定について変える必要がある。従って、入力される希望信号、妨害信号の大きさを検出するためには、利得制御器５４，５６，６３のうちのひとつだけでは十分でない場合が発生する。この場合には、利得制御器５４，５６，６３のうち複数個を用いることにより希望信号、妨害信号の大きさを検出することが可能となる。
【００９６】
また、これら利得制御電圧は、受信条件が変化した場合の追従性が良好である。このため、大きな妨害信号のある強電界エリアでの受信条件、あるいは弱電界エリアでの受信条件のそれぞれに対応して、最適な受信性能を短時間に選択できる。従って、移動中でのテレビ受信に最適である。
【００９７】
さらに、利得制御器５４，５６，６３と信号レベル判定器との間に電圧をデジタルに変化するＤＡ変換器（デジタルアナログ変換器）を挿入し（図示せず）、このＤＡ変換器から出力されるデジタル値をＩ２Ｃバスラインにより信号処理をしてもよい。この場合、共通のＩ２Ｃバスラインにより信号処理が可能となるので、配線が簡単になる。
【００９８】
さらになお、本発明の実施の形態では、一例としてデジタル用復調器６１からのＢＥＲをＢＥＲ判定器６６に入力して用いたが、デジタル用復調器６１からのＣ／Ｎ値をＣ／Ｎ判定器７０（図示せず）に入力して用いてもよい。
【００９９】
なお、アンテナ増幅回路３４の電源供給の開始・停止と電子スイッチ３６の開放・短絡する制御方法は、高周波受信部２３への受信信号が不連続にならないようにすることが必要である。受信信号が不連続になると、映像が乱れたり、音声が途切れたりする。
【０１００】
これを防ぐためには、電子スイッチ３６を短絡した後にアンテナ増幅回路３４への電源供給を停止し、アンテナ増幅回路３４への電源供給を開始した後に電子スイッチ３６を開放することにより防止できる。すなわち、高周波受信部２３には、絶えずどちらか一方から受信信号を供給すればよい。
【０１０１】
なお、高周波受信部２３では、混合器４５をシングルスーパーとして用いたが、ダイレクトコンバージョンとして用いても、同様である。すなわち、混合器４５をＩ，Ｑ信号用の２つの混合器とし、これらＩ，Ｑ信号用の混合器には、発振器４８からの発振信号を互いに９０度の位相差を持たせてそれぞれ入力する。
【０１０２】
このように、ダイレクトコンバージョンとした場合には、ダイレクトコンバージョン以降の周波数が、Ｉ，Ｑ信号の低周波信号となる。つまり、低周波での信号処理となるので、集積化が容易となる。また、他の信号との干渉が発生しにくい。
【０１０３】
さらに、本発明の実施の形態では、一例としてデジタル方式のテレビ放送信号を受信する場合について説明したが、アナログ方式のテレビ放送信号を受信する場合においても同様である。すなわち、デジタル信号用の復調部２４の代わりにアナログ信号用の復調部２４ｃ（図示せず）を用いて、このアナログ用の復調部２４ｃからのＳ／Ｎ検出信号を用いればよい。このＳ／Ｎ検出信号を、ＢＥＲ判定器６６の代わりにＳ／Ｎ判定器を使用し、このＳ／Ｎ判定器からの判定値をアンテナ制御器６７に入力することにより、同様の効果が得られる。
【０１０４】
さらになお、アンテナ整合器２２は、高い周波数の不要輻射信号によって妨害を受けることが多い。このため、高周波的にシールドして用いられることが多い。本発明の実施の形態では、電子スイッチ３６と減衰器３７の直列接続体をアンテナ整合器２２に内蔵しているので、外部からの高い周波数の不要輻射信号による妨害を防止できる。
【０１０５】
（実施の形態２）
以下、本発明の実施の形態２では、アンテナ整合器２２に用いられる整合器３３について、図３（ａ），（ｂ），（ｃ）により説明する。
【０１０６】
図３（ａ）は、整合器３３の代表的な回路図である。この整合器３３は、小型アンテナ３１とアンテナ増幅回路３４との整合損失を少なくし、受信信号の伝達損失を減らすために挿入するものである。端子３３ａ，３３ｂは、整合器３３の入力、出力である。
【０１０７】
図３（ｂ）は、アドミッタンスチャート上でのインピーダンスを表している。小型アンテナ３１では、ＵＨＦバンド、ＶＨＦバンドを受信するが、携帯用として小型アンテナを用いるために４分の１波長の長さを確保することは困難である。このため、特にＶＨＦバンドでは抵抗成分が大きい入力インピーダンス７１ａを有するものとなる。なお、保護回路３２によるインピーダンスの影響がないものとしている。また、アンテナ増幅回路３４の入力インピーダンスは、例えば１５０Ωに近いインピーダンス７１ｂであるとしている。
【０１０８】
図３（ｂ）において、この小型アンテナ３１のインピーダンス７１ａは、並列に接続されたインダクタ３３ｄによって、定コンダクタンス円７１ｃに沿って反時計方向に回転される。この結果、インピーダンス７１ｄに移動できる。
【０１０９】
図３（ｃ）は、スミスチャート上でのインピーダンスを表している。このインピーダンス７１ｄは、直列に接続されたコンデンサ３３ｃにより、定抵抗円７１ｅに沿って反時計方向に回転される。この結果、インピーダンス７１ｆに移動できる。
【０１１０】
このように、インダクタ３３ｄとコンデンサ３３ｃを用いてインピーダンスを移動させることにより、出力端子３３ｂからみた小型アンテナ３１側のインピーダンスをアンテナ増幅回路３４の入力インピーダンスに近似することができる。つまり、小型アンテナ３１とアンテナ増幅回路３４の整合を確保できることになる。
【０１１１】
以上により、小型アンテナ３１で受信された受信信号は、少ない伝達損失でアンテナ増幅回路３４に入力できる。
【０１１２】
なお、この整合器３３のインダクタ３３ｄとコンデンサ３３ｃの値は、電子スイッチ等の切り替え手段により最適値を選ぶことができるので、受信バンドが変わったとしても小型アンテナ３１とアンテナ増幅回路３４との整合を最適にできる。
【０１１３】
以上は、ＶＨＦバンドのインピーダンスについて説明したが、ＵＨＦバンドのインピーダンスについても同様である。
【０１１４】
（実施の形態３）
以下、本発明の実施の形態３では、アンテナ整合器２２に用いられる減衰器３５，３７について、図４、図５によりそれぞれ説明する。
【０１１５】
図４は、アンテナ増幅回路３４と出力端子２２ｂの間に挿入される減衰器３５の回路図である。端子３５ａ，３５ｂは、減衰器３５の入力、出力である。アンテナ増幅回路３４の出力信号が出力端子２２ｂから出力される場合に、図４のように減衰器３５を、抵抗３５ｃ，３５ｄ，３５ｅによってΠ（パイ）型アッテネータとすることより、アンテナ整合器２２の出力インピーダンスを、周波数に関係なくリアクタンス成分を少なくした抵抗成分のみである例えば、７５Ωとできる。
【０１１６】
これにより、高周波受信部２３の入力インピーダンスが受信ｃｈによって変化があっても、高周波受信部２３との整合損失を一定値にできる。つまり、ｃｈ間での受信感度を一定とできる。
【０１１７】
例えば、抵抗３５ｃは４７Ωとし、抵抗３５ｄは３３０Ωとし、抵抗３５ｅは３３０Ωとして、減衰量を４ｄＢとできる。また、これら抵抗の値を選ぶことによって減衰器３５の減衰量を最適な値に設定できる。
【０１１８】
図５は、電子スイッチ３６と出力端子２２ｂの間に挿入される減衰器３７の回路図である。端子３７ａ，３７ｂは、減衰器３７の入力、出力である。アンテナ増幅回路３４の出力信号が出力端子２２ｂから出力される場合に、図５のように減衰器３７を、抵抗３７ｃ，３７ｄ，３７ｅによってΠ（パイ）型アッテネータとすることより、アンテナ整合器２２の出力インピーダンスを、周波数に関係なくリアクタンス成分を少なくした抵抗成分のみである例えば、７５Ωとできる。
【０１１９】
これにより、高周波受信部２３の入力インピーダンスが受信ｃｈによって変化があっても、高周波受信部２３との整合損失を一定値にできる。つまり、ｃｈ間での受信感度を一定とできる。
【０１２０】
例えば、抵抗３７ｃは４７Ωとし、抵抗３７ｄは３３０Ωとし、抵抗３７ｅは３３０Ωとして、減衰量を４ｄＢとできる。また、これら抵抗の値を選ぶことによって減衰器３７の減衰量を最適な値に設定できる。
【０１２１】
なお、減衰器３５，３７は、抵抗をＴ型としても同様である。さらに、抵抗３５ｄのない回路、または抵抗３７ｄのない回路を用いてもよい。
【０１２２】
（実施の形態４）
以下、本発明の実施の形態４の高周波受信装置７４について、図６を用いて説明する。実施の形態１では、アンテナ整合器２２は、電子スイッチ３６、減衰器３７を内蔵している。これに対して、実施の形態４では、アンテナ整合器７５は、電子スイッチ３６、減衰器３７を外付けとし、電子スイッチ３６は、アンテナ増幅回路３４の入力でなく整合器３３の入力に接続している点が異なる。
【０１２３】
なお図６で使用した部品について、図１と同じものについては同一の番号を付して説明を簡略化している。
【０１２４】
図６において、整合器３３の入力は、出力端子７５ａに接続されている。この出力端子７５ａと出力端子２２ｂの間には、出力端子７５ａから順に電子スイッチ３６、整合器７６、減衰器３７が接続されている。
【０１２５】
アンテナ制御器６７から出力されるアンテナ制御信号は、電子スイッチ３６の制御入力３６ａに供給されるとともに、アンテナ増幅回路３４の制御入力３４ａに入力端子７５ｂを介して供給されている。
【０１２６】
このように構成された高周波受信装置７４の動作については、図１と基本的に同じであるので簡略化する。
【０１２７】
図６において、電子スイッチ３６、整合器７６、減衰器３７は、アンテナ整合器７５に出力端子７５ａ，２２ｂに対して外部に接続されている。これにより、小型化サイズとしたアンテナ整合器７５を実現できるので、このアンテナ整合器７５を小型アンテナ３１に近接して設けることが可能となる。従って、小型アンテナ３１にアンテナ整合器７５を一体化することが可能となる。
【０１２８】
また、出力端子７５ａと出力端子２２ｂの間には、整合器７６を外付けで設けることができる。この整合器７６には素子数の多い整合回路を採用できるので、小型アンテナ３１と高周波受信部２３との整合を確実に取ることが可能となる。従って、受信ｃｈによる整合損失の変動を小さくできる。
【０１２９】
なお、出力端子７５ａには、整合器３３の入力を接続する代わりに、アンテナ増幅回路３４の入力を接続してもよい。この場合に、アンテナ増幅回路３４の入力インピーダンスが略７５Ωであれば、整合器３３の出力インピーダンスが７５Ωとなるので、整合器７６が削除できる。従って、小型化サイズのアンテナ整合器７５を実現できる。
【０１３０】
（実施の形態５）
以下、本発明の実施の形態５の高周波受信装置１２１について、図７を用いて説明する。実施の形態１では、増幅回路４７，５８は、利得制御器５６，６３によりそれぞれ利得制御され、信号レベル判定器６９の入力６９ｄ，６９ａ，６９ｂには、利得制御器５４，５６，６３からの利得制御電圧がそれぞれ入力されている。
【０１３１】
これに対して、実施の形態５では、利得制御器６３を削除し、増幅回路５８を増幅度の一定な増幅回路１５８とし、利得制御器５６の入力には増幅回路４７の出力でなくデジタルフィルタ６０の出力信号が供給され、信号レベル判定器１６９の入力１６９ｄ，１６９ａには、利得制御器５４，５６からの利得制御電圧がそれぞれ入力されている点が異なる。
【０１３２】
なお図７で使用した部品について。図１と同じものについては同一の番号を付して説明を簡略化している。
【０１３３】
図７において、高周波受信装置１２１は、小型アンテナ３１に接続されたアンテナ整合器２２と、このアンテナ整合器２２の出力が接続された高周波受信部１２３と、この高周波受信部１２３の出力が接続されるとともに出力端子１２４ｂを有する復調部１２４と、高周波受信部１２３の利得制御器５４，５６からそれぞれ出力される利得制御電圧と復調部１２４からのＢＥＲ信号が入力されることにより電子スイッチ３６を制御するアンテナ制御部１２５とから構成されている。
【０１３４】
このように構成された高周波受信装置１２１の動作については、図１と基本的に同じであるので簡略化して説明する。
【０１３５】
入力端子１２３ａに入力された受信信号は、混合器４５により周波数変換されるとともに、出力端子１２３ｂから出力される信号レベルが一定値になるように増幅回路４３，４７で利得制御される。
【０１３６】
例えば、大きな妨害信号の存在する強電界エリアでの受信時においては、信号レベル判定器１６９を用いて、利得制御器５４，５６の利得制御電圧をそれぞれの基準電圧の上限値と下限値と比較・判定することにより、妨害信号レベルの大きさを検出できる。
【０１３７】
なお、信号レベル判定器１６９の基準電圧の上限値と下限値は、基準電圧用入力端子１２５ｃを介して入力できる。従って、外部端子であるから基準電圧用入力端子１２５ｃから容易に最適値を設定できる。
【０１３８】
このようにして、信号レベル判定器１６９からの判定信号がアンテナ制御器６７の入力６７ｂに入力される。このアンテナ制御器６７から出力されるアンテナ制御信号により、アンテナ増幅回路３４への電源供給を停止するとともに、電子スイッチ３６を短絡する。
【０１３９】
これにより、妨害信号を１５ｄＢ小さくできるので、アンテナ整合器２２での歪を無くし、増幅回路４３および混合器４５による歪が低減されることにより、高周波受信装置１２１の妨害特性を良くできる。このときの希望信号は、−５０ｄＢｍから−７５ｄＢｍと小さいレベルとなるが、図２の特性１０５より明らかなようにＢＥＲは劣化しない。
【０１４０】
次の受信条件として、妨害信号がなく、希望信号（−５０ｄＢｍ以上）のみを受信する場合には、利得制御範囲（０ｄＢｍ〜−５０ｄＢｍ）である増幅回路４３により利得制御された一定レベルの信号が、増幅回路４７に供給される。このため、増幅回路４７の利得制御電圧は、利得が最小となるので、利得制御器５６の利得制御電圧は変化しないことになる。
【０１４１】
従って、これら利得制御器５４，５６のそれぞれの利得制御電圧を用いて信号レベル判定器１６９で判定することにより、希望信号レベルの大きさを検出できる。
【０１４２】
この信号レベル判定器１６９からの判定信号が、アンテナ制御器６７の入力６７ｂに入力される。このアンテナ制御器６７から出力されるアンテナ制御信号により、アンテナ増幅回路３４への電源供給を停止するとともに、電子スイッチ３６を短絡する。
【０１４３】
これにより、希望信号を１５ｄＢ小さくできるので、増幅回路４３および混合器４５による歪が低減されることにより、高周波受信装置１２１の妨害特性を良くできる。
【０１４４】
次の受信条件として、弱電界エリア（−９０ｄＢｍ以下）で希望信号を受信する場合について説明する。
【０１４５】
この弱電界エリア（−９０ｄＢｍ以下）で希望信号を受信する場合には、増幅回路４３は利得が最大になるように制御され、増幅回路４７により利得制御された一定レベルの信号が、Ａ／Ｄコンバータ５９に供給される。このため、利得制御器５６の利得制御電圧が変化することになる。
【０１４６】
従って、この利得制御器５６の利得制御電圧を用いて信号レベル判定器１６９で判定することにより、希望信号レベルの大きさを検出できる。この信号レベル判定器１６９からの判定信号が入力されるアンテナ制御器６７により、アンテナ整合器２２のアンテナ増幅回路３４への電源を供給し、電子スイッチ３６を開放する。
【０１４７】
これにより、アンテナ増幅回路３４の出力信号が、出力端子２２ｂから出力されることになり、高周波受信部１２３への入力レベルは、整合器３３の出力信号が出力端子２２ｂから出力される場合に対して１５ｄＢ高くできる。従って、微弱な信号レベルに対する受信感度をよくできる。
【０１４８】
以上のように、大きな妨害信号のある強電界エリアでの受信時には、アンテナ制御器６７からのアンテナ制御信号によりアンテナ整合器２２の利得を小さくする。これにより、高周波受信部１２３からは歪の少ない信号が出力される。
【０１４９】
一方、弱電界エリアでの受信時には、アンテナ制御器６７からのアンテナ制御信号によりアンテナ整合器２２を最大値に近い利得で動作させる。このため、高周波受信部１２３からはノイズの少ない信号を出力することができる。
【０１５０】
このようにして、アンテナ整合器２２の動作状態を、アンテナ制御信号を用いて切替えることにより、強電界での妨害特性と弱電界での受信感度とを両立できる高周波受信装置１２１を提供できる。
【０１５１】
また、アンテナ制御器６７にはＢＥＲ判定器６６からの判定信号が入力されている。このＢＥＲ判定器６６では、受信中のＢＥＲ値がＢＥＲ用基準値（２×１０-4）と比較判定される。従って、アンテナ制御器６７での判定は、信号レベル判定器１６９だけでなく、ＢＥＲ判定器６６からの判定信号を用いることにより、判定の精度が向上する。
【０１５２】
なお、高周波受信部１２３の増幅回路４３．４７．１５８等は、妨害特性および受信感度の関係から各増幅回路の利得配分あるいは利得制御範囲の設定を変えることが必要となる。従って、入力される希望信号、妨害信号の大きさを検出するためには、利得制御器５４，５６のうちのひとつだけでは十分でない場合が発生する。この場合には、利得制御器５４，５６のうち複数個を用いることにより可能となる。
【０１５３】
また、これら利得制御電圧は、受信条件が変化した場合の追従性が良好である。このため、大きな妨害信号のある強電界エリアでの受信条件、あるいは弱電界エリアでの受信条件のそれぞれに対応して、最適な受信性能を短時間に選択できる。従って、移動中でのテレビ受信に最適である。
【０１５４】
なお、高周波受信部１２３では、混合器４５をシングルスーパーとして用いたが、ダイレクトコンバージョンとして用いても、同様である。すなわち、混合器４５をＩ，Ｑ信号用の２つの混合器とし、これらＩ，Ｑ信号用の混合器には、発振器４８からの発振信号を互いに９０度の位相差を持たせてそれぞれ入力する。
【０１５５】
このように、ダイレクトコンバージョンとした場合には、ダイレクトコンバージョン以降の周波数が、Ｉ，Ｑ信号の低周波信号となる。つまり、低周波での信号処理となるので、集積化が容易となる。また、他の信号との干渉が発生しにくい。
【０１５６】
さらに、本発明の実施の形態では、一例としてデジタル方式のテレビ放送信号を受信する場合について説明したが、アナログ方式のテレビ放送信号を受信する場合においても同様である。すなわち、デジタル信号用の復調部１２４の代わりにアナログ信号用の復調部２４ｃ（図示せず）を用いて、このアナログ用の復調部２４ｃからのＳ／Ｎ検出信号を用いればよい。このＳ／Ｎ検出信号を、ＢＥＲ判定器６６の代わりにＳ／Ｎ判定器を使用し、このＳ／Ｎ判定器からの判定値をアンテナ制御器６７に入力することにより、同様の効果が得られる。
【産業上の利用可能性】
【０１５７】
本発明にかかわるアンテナ整合器とこれを用いた高周波受信装置では、高周波受信部における妨害信号に対する排除能力と弱電界エリアでの受信感度の両特性を改善できるという効果を有し、特に移動受信中において、大きな妨害信号が存在する強電界エリアでの受信条件において有用となる。
【図面の簡単な説明】
【０１５８】
【図１】本発明の実施の形態１における高周波受信装置のブロック図
【図２】同、希望信号、妨害信号とＢＥＲの関係を表す図
【図３】（ａ）は、本発明の実施の形態２における整合器の回路図、（ｂ）は、同、アドミッタンスチャート上での小型アンテナの整合器によるインピーダンス特性を示す図、（ｃ）は、同、スミスチャート上での小型アンテナの整合器によるインピーダンス特性を示す図
【図４】本発明の実施の形態３における減衰器の回路図
【図５】同、減衰器の回路図
【図６】本発明の実施の形態４における高周波受信装置のブロック図
【図７】本発明の実施の形態５における高周波受信装置のブロック図
【図８】従来例における高周波受信装置のブロック図
【符号の説明】
【０１５９】
２２  アンテナ整合器
２２ａ  入力端子
２２ｂ  出力端子
２２ｃ  アンテナ制御端子
３３  整合器
３４  アンテナ増幅回路
３６  電子スイッチ
【図１】
2007068143.tif 000003
【図２】
2007068143.tif 000004
【図３】
2007068143.tif 000005
【図４】
2007068143.tif 000006
【図５】
2007068143.tif 000007
【図６】
2007068143.tif 000008
【図７】
2007068143.tif 000009
【図８】
2007068143.tif 000010